(57)【特許請求の範囲】
【請求項１】
移動電話機と通信可能で、且つ遠隔操作モード、音声認識モードおよび電話モードを選択可能で、
遠隔操作モードが選択されたとき、前記移動電話機からのキー操作信号に応じた動作を実行し、
音声認識モードが選択されたとき、前記移動電話機からの音声を認識し、その認識結果に応じた動作を実行し、
電話モードが選択されたとき、操作されたダイヤル番号を前記移動電話機に送信して当該移動電話機に発信動作を行わせるように構成すると共に、
前記選択されたモードでの動作を終了した後は、当該選択されたモードを保持、または、初期モードとして設定された手動操作モードへ自動的に遷移するように構成したことを特徴とするカーナビゲーション装置。
【請求項２】
移動電話機と送受信する送受信手段と、
遠隔操作モード、音声認識モードおよび電話モードのうちから所望のモードを選択するための選択操作手段と、
ダイヤル番号入力手段と、
前記遠隔操作モードが選択されたとき、前記移動電話機のキー操作によって入力されて当該移動電話機から送信されたキー操作信号を読み取る遠隔操作解析手段と、
前記音声認識モードが選択されたとき、前記移動電話機のマイクロフォンに入力されて当該移動電話機から送信された音声信号を認識する音声認識手段と、
前記遠隔操作解析部の解析結果および前記音声認識部の認識結果に応じた動作を行う制御手段と
前記電話モードが選択されたとき、前記ダイヤル番号入力手段から入力されたダイヤル番号を前記送受信手段を介して前記移動電話機に送信して当該移動電話機に発信動作を行わせる電話遠隔操作手段と、
前記選択手段により選択されたモードでの動作を終了した後は、当該選択されたモードを保持、または、初期モードとして設定された手動操作モードへ遷移させる制御を行う制御部とを具備してなるカーナビゲーション装置。
【発明の詳細な説明】
【０００１】
【発明の属する技術分野】
本発明は、携帯電話機をリモートコントロール装置などに利用できるようにしたカーナビゲーション装置に関する。
【０００２】
【発明が解決しようとする課題】
従来のカーナビゲーション装置には、手動による遠隔操作と、音声による遠隔操作ができるようにしたものがある。このカーナビゲーション装置では、手動による遠隔操作のためにリモートコントロール装置を付属しており、音声による遠隔操作のための音声入力用としてマイクロフォンを装備している。
しかしながら、これでは手動による遠隔操作用のリモートコントロール装置、音声による遠隔操作用のマイクロフォンというように各機能毎に専用の部品を必要としており、コスト上昇の要因となっていた。
【０００３】
本発明は上記の事情に鑑みてなされたもので、その目的は、手動による遠隔操作と、音声による遠隔操作が可能で、その遠隔操作を移動電話機のキーおよびそのマイクロフォンを利用して行うことができ、しかも、カーナビゲーション装置によって移動電話機を操作することができるカーナビゲーション装置を提供するにある。
【０００４】
【課題を解決するための手段】
本発明では、遠隔操作モードを選択し、移動電話機でキー操作を行うと、移動電話機のキー操作信号がカーナビゲーション装置に送信され、カーナビゲーション装置は、そのキー操作信号に応じた動作を行う。また、音声認識モードを選択し、使用者が音声を発すると、その音声は移動電話機のマイクロフォンに入力されて、移動電話機から音声信号がカーナビゲーション装置に送信され、カーナビゲーション装置は、その音声信号を認識し、その認識結果に応じた動作を行う。更に、電話モードを選択してカーナビゲーション装置のスイッチによりダイヤル番号を入力すると、そのダイヤル番号がカーナビゲーション装置から移動電話機に送信され、移動電話機はそのダイヤル番号先へ発信する。
更に、選択されたモードでの動作を終了した後は、当該選択されたモードを保持、または、初期モードとして設定された手動操作モードへ自動的に遷移する。
【０００５】
【発明の実施の形態】
以下、本発明の一実施例を図面に基づいて説明する。
図１はカーナビゲーション装置１および移動電話機としての携帯電話機２の電気的構成を示すブロック図である。同図に示すように、カーナビゲーション装置１には、制御手段としての制御部３、地図データ記憶装置４、位置検出装置５、表示手段としての表示器６、操作手段としての操作スイッチ群７、音声出力手段としてのスピーカ８が設けられている。
【０００６】
制御部３は、カーナビゲーション装置１の全体の動作を制御するもので、マイクロコンピュータを主体として構成されている。すなわち、制御部３は、ＣＰＵ、ＲＯＭ、ＲＡＭ、Ｉ／Ｏおよびこれらを接続するバスなど（いずれも図示せず）を備えて構成されている。このうち、ＲＯＭにはカーナビゲーション装置１を動作させるための実行プログラムなどが格納され、ＲＡＭにはプログラム実行時の一時データや地図データ記憶装置４から取得した地図データなどが一時的に格納されるようになっている。
【０００７】
地図データ記憶手段４は、例えばＶＤ−ＲＯＭなどの情報記憶媒体と、この情報記憶媒体から地図データを読み取る読取装置とから構成されており、読取装置によって地図データ、マップマッチング用データ、経路を音声で案内するためのデータ、地名から地図上の位置を検索する検索データなどを情報記録媒体から読み取り、制御部３に入力する。
【０００８】
位置検出装置５は、ジャイロスコープ、距離センサ、ＧＰＳ（Global Positioning System ）受信機などから構成されている。これらのセンサはそれぞれ性質の異なる検出誤差を有するので、これらのセンサを組み合わせることで互いに検出誤差を補正しながら精度の高い位置検出を行い得るようにしている。なお、要求される検出精度によっては、全てのセンサを備える必要はなく、適宜選択して設けることができる。
【０００９】
表示器６は、例えば液晶ディスプレイなどの表示画面を備えて構成されており、その表示画面に地図データや文字或いは記号などを表示できるようになっている。操作スイッチ群７は、データを入力したり、設定事項を入力したりするために使用されるもので、例えば表示器６に一体的に設けられたタッチパネルスイッチやメカニカルスイッチなどの各種の操作スイッチから構成されている。
【００１０】
制御部３は、目的地までの経路を設定する機能、およびその経路に従って車両の進行する方向をスピーカ８から音声を発して指示したりする走行案内機能を有している。すなわち、操作スイッチ群７や後述のように携帯電話機２を操作したり、或いは音声を発したりすることにより、目的地、或いは通過点を入力すると、現在位置から通過点を経て目的地までの最適経路を自動的に設定すると共に、その目的地経路を表示器６の表示画面に表示している地図上に表示する。そして、分岐点や交差点などに差し掛かると、車両の進行すべき方向をスピーカ８から音声で発するようになっている。
【００１１】
カーナビゲーション装置１は、上記のカーナビゲーションのために必要な各種の装置の他、選択操作手段としての第１〜第３のモード設定スイッチ９〜１１、ダイヤル番号入力手段としてのダイヤル部１２、送受信手段としてのブルートゥース通信部１３、受信データ記憶部１４、遠隔操作解析手段としての遠隔操作解析部１５、音声認識手段としての音声認識部１６、電話遠隔操作手段としての電話機能部１７などを備えている。第１〜第３のモード設定スイッチ９〜１１およびダイヤル部１２は、タッチパネルスイッチやメカニカルスイッチなどから構成されている。
【００１２】
３つのモード設定スイッチ９〜１１のうち、第１のモード設定スイッチ９は、手動による遠隔操作モードを設定するためのもの、第２のモード設定スイッチ１０は、音声による遠隔操作のための音声認識モードを設定するためのもの、第３のモード設定スイッチ１１は、カーナビゲーション装置１によって携帯電話機２を遠隔操作する電話モードを設定するためのものである。このカーナビゲーション装置１では、初期モードは手動操作モードとなっており、上記の遠隔操作、音声認識、電話の各モードに変えた後、元の手動操作モードに戻すには、操作スイッチ群７のうちのキャンセルスイッチを操作する。なお、手動操作モードとは、目的地や通過点を入力したり、入力した目的地までの経路を設定したりするための操作を、操作スイッチ群７を手で操作することによって行うモードである。
【００１３】
上記の第１〜第３の設定スイッチ９〜１１によって選択され、キャンセルスイッチによって元に戻されたモードは、制御部３から受信データ記憶部１３および電話機能部１７に送られる。電話機能部１７は、制御部３から送られた信号をブルートゥース通信部１３に送る。ブルートゥース通信部１３は携帯電話機２と電波信号を送受信するようになっており、従って制御部３から電話機能部１７に送られたモード設定信号は、ブルートゥース通信部１３から携帯電話機２へと送信される。
【００１４】
ブルートゥース通信部１３が携帯電話機２から受信した信号は受信データ記憶部１４に格納される。そして、受信データ記憶部１４は、制御部３からのモード設定信号により設定されたモードを認識し、その認識モードに応じて受信データを遠隔操作解析部１５に与えたり、音声認識部１６に与えたり、或いは電話機能部１７に与えたりする。
【００１５】
遠隔操作解析部１５は、受信データ記憶部１４から与えられた遠隔操作信号から遠隔操作内容を判断して制御部３に与え、制御部３は遠隔操作解析部１５が判断した遠隔操作内容に応じた動作を行う。音声認識部１６は、受信データ記憶部１４から与えられた音声信号を認識し、その認識結果を制御部３に与える。制御部３は音声認識部１６の認識結果に応じた動作を行う。
【００１６】
電話機能部１７は、ダイヤル部１２が操作されると、制御部３から操作されたダイヤル番号を受けてブルートゥース通信部１３を介して携帯電話機２へ送信する。また、電話機能部１７は、受信データ記憶部１４から音声信号が与えられると、これを制御部３に送り、制御部３はその音声信号をスピーカ８に出力して当該スピーカ８から音声を出力する。
【００１７】
以上のようなカーナビゲーション装置１に対し、携帯電話機２は、制御手段としての制御部１８、送受信部１９、送話音声を入力するマイクロフォン２０、受話音声を出力するスピーカ２１、液晶ディスプレイ画面を備えた表示器２２、キースイッチ群２３などの他、携帯電話機２の送受信手段としてのブルートゥース通信部２４を備えている。制御部１８は、マイクロコンピュータを主体とするもので、携帯電話機２の全体の動作を制御する。送受信部１９は携帯電話網の基地局と電波による送受信を行い、ブルートゥース通信部２４は、カーナビゲーション装置１と電波による送受信を行う。
【００１８】
ブルートゥース通信部２４はカーナビゲーション装置１のブルートゥース通信部１３と電波により信号を送受する。このブルートゥース通信部２４が、カーナビゲーション装置１のブルートゥース通信部１３からモード設定信号を受信すると、制御部１８は携帯電話機２をカーナビゲーション装置１に設定されたモードと同じモードに設定する。なお、携帯電話機２のモード設定は、キースイッチ群２３の操作によって行うようにしてもよい。
【００１９】
制御部１８は、遠隔操作モードに設定された状態でキースイッチ群２３の操作がなされると、操作されたキースイッチに応じたキー操作信号をブルートゥース通信部２４を介してカーナビゲーション装置１に送信する。
【００２０】
また、音声識別モードに設定された状態で音声がマイクロフォン２０に入力されると、制御部２０は、その音声信号をブルートゥース通信部２４を介してカーナビゲーション装置１に送信する。更に、電話モードが選択された状態で音声がマイクロフォン２０に入力された場合には、制御部２０は、その音声信号を送受信部１９を介して基地局に送信する。この電話モード時に送受信部１９が受話信号を受信すると、制御部１８は、受話信号をブルートゥース通信部２４によりカーナビゲーション装置１に送信する。
【００２１】
次に上記の構成の作用を図２および図３に示すフローチャートをも参照しながら説明する。
カーナビゲーション装置１に電源が投入されると、制御部３は、カーナビゲーション装置１を初期モードである手動操作モードに設定し（ステップＳ１）、次にモード遷移要求がなされたか否かを判断し（ステップＳ２）、モード遷移要求がなされていない場合には、受信データ記憶部１４に受信データが格納されているか否かを判断する（ステップＳ３）。受信データ記憶部１４に受信データが格納されていない場合（ステップＳ３で「ＮＯ」）、制御部３はステップＳ１に戻る。
【００２２】
さて、カーナビゲーション装置１の第１ないし第３のモード設定スイッチ９ないし１１のいずれかを操作すると、制御部３は、ステップＳ２で「ＹＥＳ」となってステップＳ４のモード遷移ルーチンに移行する。モード遷移ルーチンは図３に示されており、同ルーチンに入ると、制御部３は、まず現モードを退避（終了）させ（ステップＡ１）、次に操作されたスイッチに基づいて選択されたモードを認識して（ステップＡ２）、当該モードに設定すると共に携帯電話機２にモード設定信号を送信し（ステップＡ３、Ａ４またはＡ５）、リターンとなる。
【００２３】
ここで、第１ないし第３のモード設定スイッチ９ないし１１のうち、第１のモード設定スイッチ９を操作して遠隔操作モードを選択したとする。すると、制御部３はステップＳ２で「ＹＥＳ」となってステップＳ４のモード遷移ルーチンに移行し、このモード遷移ルーチンにおいて、前述のようにステップＡ１で手動操作モードを退避させ、ステップＡ２で遠隔操作モードが選択されたことを認識してステップＡ３へ移行し、ここでカーナビゲーション装置１を遠隔操作モードに設定すると共に、遠隔操作モードに設定した旨の信号を電話機能部１７を介してブルートゥース通信部１３から送信して携帯電話機２も遠隔操作モードに設定されるようにする。
【００２４】
この状態で携帯電話機２のキースイッチ群２３を操作すると、制御部１８は、その操作されたキーに応じたキー操作信号をブルートゥース通信部２４から送信する。この携帯電話機２から送信されたキー操作信号は、カーナビゲーション装置１のブルートゥース通信部１３に受信されて受信データ記憶部１４に記憶される。
【００２５】
一方、カーナビゲーション装置１の制御部３は、図３のモード遷移ルーチンで遠隔操作モードに設定した後、リターンとなって図２のメインルーチンのステップＳ３に移行する。このとき、受信データ記憶部１４には携帯電話機２のキー操作信号が受信データとして格納されているので、制御部３は、ステップＳ３で  「ＹＥＳ」と判断してステップＳ５に移行する。このステップＳ５で、制御部３は、キー操作信号を遠隔操作解析部１５に送り、遠隔操作解析部１５は、キー操作信号から遠隔操作の内容を解析して制御部３に送る。そして、制御部３は、解析された遠隔操作内容に応じた動作、例えば目的地を設定して最適経路を自動設定するなどの動作を実行する。このようなステップＳ５を実行した後、制御部３は前述のステップＳ２に戻る。
【００２６】
また、モード選択操作において、第２のモード設定スイッチ１０を操作して音声認識モードを選択したとする。すると、制御部３はステップＳ２で「ＹＥＳ」となってステップＳ４のモード遷移ルーチンに移行し、このモード遷移ルーチンにおいて、前述したと同様にして、カーナビゲーション装置１を音声認識モードに設定すると共に、音声認識モードに設定した旨の信号をブルートゥース通信部１３から送信して携帯電話機２をも音声認識モードにする。
【００２７】
この状態で操作したい内容の音声を発すると、その音声は携帯電話機２のマイクロフォン２０に入力され、音声信号にしてブルートゥース通信部２４から送信される。この音声信号はカーナビゲーション装置１のブルートゥース通信部１３に受信されて受信データ記憶部１４に記憶される。一方、カーナビゲーション装置１の制御部３は、音声認識モードに設定した後、リターンとなってメインルーチンのステップＳ３に移行する。制御部３は、このステップＳ３で「ＹＥＳ」となってステップＳ５に移行する。
【００２８】
ステップＳ５において、制御部３は、受信データ記憶部１４に格納されている受信データ、この場合、携帯電話機２から送信されてきた音声信号を音声認識部１６へ入力する。音声認識部１６は入力された音声信号を認識し、その認識した内容を制御部３に送る。そして、制御部３は音声認識部１６の認識結果に応じた動作、例えば目的地を設定して最適経路を自動設定する動作を実行し（ステップＳ５）、ステップＳ２へ戻る。
【００２９】
更に、モード選択操作において、第３のモード設定スイッチ１０を操作して電話モードを選択したとする。すると、制御部３はステップＳ２で「ＹＥＳ」となってステップＳ４のモード遷移ルーチンに移行し、このモード遷移ルーチンにおいてカーナビゲーション装置１を電話モードに設定すると共に、電話モードに設定した旨の信号をブルートゥース通信部１３から送信して携帯電話機２をも電話モードにする。
【００３０】
この状態でカーナビゲーション装置１のダイヤル部１２を操作してダイヤル番号を入力すると、制御部３はそのダイヤル番号を電話機能部１７に送り、電話機能部１７はそのダイヤル番号をブルートゥース通信部１３から送信する。携帯電話機２のブルートゥース通信部２４がダイヤル番号を受信すると、制御部１８は、そのダイヤル番号の相手先に発呼する。携帯電話機２が相手先に接続されると、携帯電話機２が受信した相手先からの音声（受話音声）は、カーナビゲーション装置１に送信される。カーナビゲーション装置１に送信された電話の相手先からの送話音声信号は受信データ記憶部１４に格納される。
【００３１】
一方、カーナビゲーション装置１の制御部３は、モード遷移ルーチンで電話モードに設定した後、リターンとなってメインルーチンのステップＳ３に移行する。制御部３は、このステップＳ３で「ＹＥＳ」となってステップＳ５に移行する。そして、ステップＳ５において、制御部３は、受信データ記憶部１４に格納されている受話音声信号を電話機能部１７に与え、電話機能部１７は受話音声信号を制御部３を送り、制御部３はその受話音声信号をスピーカ８から音声として出力する。また、送話者の送話音声はマイクロフォン２０から入力され、通常通り送受信部１９から音声信号にして基地局へ送信される。
携帯電話機２の接続先がインターネットのＷｅｂサイトであった場合、その画像は表示器６に表示される。そして、表示器６に表示されているリンク先をクリックすると、携帯電話機２がそのリンク先に接続されて表示器６に表示される。
【００３２】
このように本実施例によれば、遠隔操作モードの時、携帯電話機２をリモコンとして利用でき、また音声認識モードのとき音声入力手段でるマイクロフォンは携帯電話機２のものを利用できるので、カーナビゲーション装置１としてリモコンおよび音声入力用のマイクロフォンを付属させる必要がなく、コストの低減化を図ることができる。しかも、本実施例では、カーナビゲーション装置１により携帯電話機２を遠隔操作してハンズフリーにて相手と対話することができる。
【００３３】
なお、本発明は上記し且つ図面に示す実施例に限定されるものではなく、以下のような拡張或いは変更が可能である。
送受信手段はブルートゥース通信部１３に限られない。また、無線で通信するものに限らず、有線で通信するものであっても良い。
上記実施例では、第１〜第３のモード設定スイッチ９〜１１の操作によりモード遷移した後は、キャンセルスイッチを操作しないと、初期モード（手動操作モード）に戻らないように構成したが、これは例えば一定時間経過後、或いは受信データ記憶部１４に受信データが無くなった時、自動的に初期モードに戻るように構成しても良い。
【図面の簡単な説明】
【図１】本発明の一実施例を示すもので、カーナビゲーション装置と携帯電話機の電気的構成を示すブロック図
【図２】制御内容を示すフローチャートその１
【図３】同その２
【符号の説明】
図中、１はカーナビゲーション装置、２は携帯電話機（移動電話機）、３は制御部（制御手段）、８はスピーカ、９ないし１１は第１ないし第３のモード設定スイッチ（選択操作手段）、１２はダイヤル部（ダイヤル番号入力手段）、１３はブルートゥース通信部（送受信手段）、１４は受信データ記憶部、１５は遠隔操作解析部（遠隔操作解析手段）、１６は音声認識部（音声認識手段）、１７は電話機能部（電話遠隔操作手段）、１８は制御部（制御手段）、２０はマイクロフォン、２４はブルートゥース通信部である。
【図１】
0003797204.tif 000002
【図２】
0003797204.tif 000003
【図３】
0003797204.tif 000004